(57)【要約】【課題】  短いスタッドでもスタッドへの押込みを確認できるスタッド固定具の提供。【解決手段】  ねじスタッドに係止することによって、スタッドが固着されている部材に取付けることができるスタッド固定具１は、スタッドが貫通するスタッド受入穴５が形成されたスタッド係止部６を有し、スタッド係止部の側面に、スタッド受入穴に挿入されたスタッドを目視できる確認穴１７が形成され、その確認穴１７は、スタッドがスタッド受入穴に完全に挿入された状態でスタッドの先端部分が目視できる位置に形成される。【選択図】          図２
2006046508.tif 000002
【特許請求の範囲】
【請求項１】
外周面にねじまたは周溝が形成されたスタッドに係止することによって、該スタッドが固着されている部材に取付けることができるスタッド固定具において、
前記スタッドが貫通するスタッド受入穴が形成されたスタッド係止部を有し、該スタッド係止部の側面に、前記スタッド受入穴に挿入されたスタッドを目視できる確認穴が形成され、該確認穴は、前記スタッドが前記スタッド受入穴に完全に挿入された状態でスタッドの先端部分が目視できる位置に形成されていることを特徴とするスタッド固定具。
【発明の詳細な説明】
【技術分野】
【０００１】
本発明は、外周面にねじや周溝が形成されたスタッドに係止することによりスタッドが固着されている部材に取付けられて、該部材に他の取付部品を取付けるのに適したスタッド固定具に関する。
【背景技術】
【０００２】
外周面にねじや周溝が形成されたスタッドに係止することによりスタッドが固着されている部材に取付けられて、該部材に他の取付部品を取付けるのに適したスタッド固定具はよく知られている。
【０００３】
特開平１１−９３９３２号公報（特許文献１）には、スタッドへの押込みが十分であることを確認できるスタッド固定具であって、取付け操作に熟練を必要とせず、スタッド係止部の高さを低く抑えることのできるスタッド固定具を開示している。
【０００４】
【特許文献１】特開平１１−９３９３２号公報
【発明の開示】
【発明が解決しようとする課題】
【０００５】
特許文献１のスタッド固定具は、スタッドへの押込みが十分であることを確認でき、取付け操作に熟練を必要とせずに簡単にでき、スタッド係止部の高さを低く抑えることができるので便利である。しかし、スタッド受入穴の開閉片に届かないほどの短いスタッドへ固定する場合においてだけ、スタッドへの押込みの確認に改良の余地があった。
【０００６】
従って、本発明の目的は、短いスタッドであってもスタッドへの押込みを確認できるスタッド固定具を提供することにある。
【課題を解決するための手段】
【０００７】
かかる目的を達成するため、本発明による、外周面にねじ又は周溝が形成されたスタッドに係止することによって、スタッドが固着されている部材に取付けることができるスタッド固定具は、スタッドが貫通するスタッド受入穴が形成されたスタッド係止部を有し、スタッド係止部の側面に、スタッド受入穴に挿入されたスタッドを目視できる確認穴が形成され、その確認穴は、スタッドがスタッド受入穴に完全に挿入された状態でスタッドの先端部分が目視できる位置に形成されていることを特徴とする。
【０００８】
上記のように、スタッド確認穴が、スタッドがスタッド受入穴に完全に挿入された状態でスタッドの先端が目視できる位置に形成されているので、作業者は、短いスタッドであってもスタッド受入穴へのスタッドの状態を目視できる。また、特許文献１に記載のスタッド固定具のように、開閉片を不要にしているので、スタッドへの押込みのときの開閉片を押圧する力も不要になる。
【発明を実施するための最良の形態】
【０００９】
本発明の実施形態について図面を参照しながら説明する。図１〜図３において、本発明の１実施形態となるスタッド固定具１が示されている。図４〜図６には、スタッド固定具１がパネル２に固着されたスタッド３に取付けられて、スタッド３への押込み状態を確認する様子が示されている。図示の実施形態に係るスタッド固定具１は、硬質プラスチックの一体成形品で成り、パネル２に固着されたねじスタッド３を受入れるスタッド受入穴５が形成されたスタッド係止部６と、スタッド係止部６から両側に一体的に延び且つ開口した部分への押し込みによりパイプ７を保持するパイプ保持部９とを有する。
【００１０】
スタッド係止部６の両側に設けられたパイプ保持部９は、上方が開口したほぼＵ字形の凹部１０で成り、その上部からは底面に向けて斜めに弾性爪１１が延びており、押し込まれたパイプを抜けないようにしている。なお、パイプ保持部９には、スタッド係止部６を含む本体との間に防振材１３が介在して、パイプからパネルへあるいはパネルからパイプへの振動の伝達を防止している。
【００１１】
スタッド係止部６には、ねじスタッド２を受入れるスタッド受入穴５が形成され、スタッド受入穴５は、パイプ保持部９に保持されたパイプ７の長手方向（図１の上下方向）に平行な方向に長い長穴に形成されている。スタッド受入穴５の入口の側（図２の上部）には、受入れたスタッドのねじ部分に係止する一対の係止爪１４が形成されている。係止爪１４は、スタッド受入穴５の軸線を挟んで対向配置されて対をなし、各係止爪は、スタッド受入穴５の長手方向に延びる板状体で形成されている。係止爪１４の下部には、図３に図示のように、スタッド受入穴５が細く形成されて、係止爪１４へスタッドのねじ山が均等に係合するように、受入れたスタッドの姿勢を規制する。スタッド係止部６には、スタッド受入穴５の入口部分において、受入穴５を挟んで、がたつき防止用のばね片１５が２対形成されており、パネルへスタッド固着具が押圧れて取付けられたとき、がたつきを防止し、抜け止めの強化をしている。
【００１２】
スタッド係止部６の側面には、スタッド受入穴５に挿入されたスタッドを目視できる確認穴１７が形成されている。その確認穴１７は、スタッドがスタッド受入穴５に完全に挿入された状態でスタッドの先端部分が目視できる位置に形成される。確認穴１７の大きさはスタッドの先端部分が目視できる限り任意に形成できるが、スタッドの長さが違っても確認可能なように、図２の上下方向に延びる長穴に形成することができる。また、確認穴１７は、スタッド係止部６の両側面に設けられる。
【００１３】
かかる構成で成るスタッド固定具１を用いてパイプ７をパネル２に取付けるには、図４に図示のように、パイプ７をスタッド固定具１のパイプ保持部６の凹部１０に押込んで把持させ、パネル２に立設されたスタッド３にスタッド固定具１のスタッド受入穴５をあてがってそのまま押込めばよい。この押込みにより、スタッド３がスタッド受入穴５を進入して、係止爪１４に係止し、スタッド３の先端が、スタッド受入穴５の細い部分によって中心に規制されて、スタッドのねじ山に、一対の係止爪１４が均等に係合する。十分に押込まれると、ばね片１５もパネル２に押付けられて、がたつきを防止し、抜け止めを強化する。この押込みは、スタッド係止部６がパネル２に十分に押付けられるまで行わなければならない。押込みが不十分であると、スタッド固定具１の取付け不完全になり、パイプ７の取付けが不完全になる。押込みが十分になされると、図５に図示のように、作業者は、スタッド固定具１のスタッド係止部６の側面の確認穴１７を目視する(矢印１９）。作業者が、図６に図示のように、スタッド３の先端２１を確認穴１７から見ることができると押込みが十分であることを確認できる。その場合、スタッド先端２１を白色にするなどして、見易くすると一層その確認が容易になる。
【００１４】
以上の実施形態においては、スタッド固定具は、パイプを取付ける固定具として例示したが、他の部品を取付けるものでもよい。例として、クランプが、装飾部品を保持して自動車の車体パネルに取付けるものがあり、他には、クランプがパネルに対して他のパネルを押さえ付けるように保持するものもある。更には、スタッド固定具は他の取付部品を取付けるものでなくともよい。また、実施形態では、スタッドは外周面にねじが形成されたねじスタッドとして説明したが、周溝が形成されたスタッドでもよい。
【図面の簡単な説明】
【００１５】
【図１】本発明の１実施形態に係るスタッド固定具の平面図である。
【図２】図１のスタッド固定具の正面図である。
【図３】図１のスタッド固定具のIII−III線断面図である。
【図４】パネルに立設されたスタッドに、パイプを保持した本発明に係るスタッド固定具を固定した状態を示す正面図である。
【図５】図４のスタッド固定具の取付け状態を確認する様子を示すスタッド固定具の側面図である。
【図６】図５の矢印１９の方向から見た図である。
【符号の説明】
【００１６】
１  スタッド固定具
２  パネル
３  スタッド
５  スタッド受入穴
６  スタッド係止部
７  パイプ
９  パイプ保持部
１０  パイプ受入用凹部
１１  弾性爪
１３  防振材
１４  係止爪
１５  ばね片
１７  確認穴
２１  スタッドの先端
【図１】
2006046508.tif 000003
【図２】
2006046508.tif 000004
【図３】
2006046508.tif 000005
【図４】
2006046508.tif 000006
【図５】
2006046508.tif 000007
【図６】
2006046508.tif 000008